【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
表示アイテムが画面に表示されている間のユーザの行動状態を認識する認識部と、
前記認識部により認識される前記行動状態に応じて、複数の表示アイテムの優先度を設定する設定部と、
前記設定部により設定される前記優先度に応じて、前記表示アイテムの表示を制御する表示制御部と、
を備える情報処理装置。
【請求項２】
前記行動状態は、前記ユーザの移動速度に関する状態を含む、請求項１に記載の情報処理装置。
【請求項３】
前記行動状態は、前記ユーザが利用している移動手段に関する状態を含む、請求項１又は２に記載の情報処理装置。
【請求項４】
前記行動状態は、前記ユーザの行動に同伴している人物に関する状態を含む、請求項１〜３のいずれか１項に記載の情報処理装置。
【請求項５】
前記情報処理装置は、前記表示アイテムごとの注目度を判定する判定部、をさらに備え、
前記設定部は、前記判定部により判定される前記注目度に応じて、前記複数の表示アイテムの前記優先度を調整する、
請求項１〜４のいずれか１項に記載の情報処理装置。
【請求項６】
前記判定部は、前記ユーザの嗜好に基づいて、前記表示アイテムごとの前記注目度を判定する、請求項５に記載の情報処理装置。
【請求項７】
前記判定部は、前記ユーザの現在位置に基づいて、前記表示アイテムごとの前記注目度を判定する、請求項５に記載の情報処理装置。
【請求項８】
前記判定部は、前記ユーザの視線方向を検出することにより、前記表示アイテムごとの前記注目度を判定する、請求項５に記載の情報処理装置。
【請求項９】
前記複数の表示アイテムの各々は、情報の種類に応じてカテゴリ分けされており、
前記設定部は、前記認識部により認識される前記行動状態に関連付けられるカテゴリに属する前記表示アイテムの優先度を、他のカテゴリに属する前記表示アイテムの優先度よりも高く設定する、
請求項１〜８のいずれか１項に記載の情報処理装置。
【請求項１０】
前記表示制御部は、相対的に高い前記優先度の設定された前記表示アイテムを強調的に表示させる、請求項１〜９のいずれか１項に記載の情報処理装置。
【請求項１１】
前記表示制御部は、相対的に高い前記優先度の設定された前記表示アイテムのみを前記画面に表示させる、請求項１〜９のいずれか１項に記載の情報処理装置。
【請求項１２】
前記情報処理装置は、
前記ユーザが行動している間に定常的に前記ユーザの視界に入るように配置される前記画面を有する表示部、
をさらに備える、請求項１〜１１のいずれか１項に記載の情報処理装置。
【請求項１３】
前記表示部は、前記ユーザにより装着されるデバイスである、請求項１２に記載の情報処理装置。
【請求項１４】
前記情報処理装置は、実空間を撮像する撮像部、をさらに備え、
前記表示制御部は、前記認識部により認識される前記行動状態に応じて、前記ユーザにより視認されるべき前記実空間内の物体又は人物を判定し、判定された物体又は人物が前記表示アイテムにより隠されないように、前記表示アイテムの表示を制御する、
請求項１〜１３のいずれか１項に記載の情報処理装置。
【請求項１５】
前記表示制御部は、前記判定された物体又は人物が前記表示アイテムにより隠されないように、前記表示アイテムの位置、サイズ、形状、輝度又は透明度のうち少なくとも１つを制御する、請求項１４に記載の情報処理装置。
【請求項１６】
前記複数の表示アイテムの少なくとも１つは、撮像画像に映る物体又は人物に関連付けられる付加情報を表現するアイテムであり、
前記情報処理装置は、前記付加情報を外部デバイスから取得する取得部、をさらに備える、
請求項１〜１５のいずれか１項に記載の情報処理装置。
【請求項１７】
前記外部デバイスは、前記情報処理装置と通信する携帯端末である、
請求項１６に記載の情報処理装置。
【請求項１８】
前記付加情報は、広告情報であり、
前記外部デバイスは、前記広告情報の提供に参加する前記人物に関連するデータを有するデータサーバである、
請求項１６に記載の情報処理装置。
【請求項１９】
情報処理装置の制御部により実行される表示制御方法であって、
表示アイテムが画面に表示されている間のユーザの行動状態を認識することと、
認識された前記行動状態に応じて、複数の表示アイテムの優先度を設定することと、
設定された前記優先度に応じて、前記表示アイテムの表示を制御することと、
を含む表示制御方法。
【請求項２０】
情報処理装置を制御するコンピュータを、
表示アイテムが画面に表示されている間のユーザの行動状態を認識する認識部と、
前記認識部により認識される前記行動状態に応じて、複数の表示アイテムの優先度を設定する設定部と、
前記設定部により設定される前記優先度に応じて、前記表示アイテムの表示を制御する表示制御部と、
として機能させるためのプログラム。
【手続補正２】
【補正対象書類名】明細書
【補正対象項目名】００４７
【補正方法】変更
【補正の内容】
【００４７】
図８は、ユーザの行動状態に応じた優先度の設定の第２の例について説明するための説明図である。図８を参照すると、第２の例におけるマッピングテーブル１６５の内容が示されている。マッピングテーブルの各行は、情報アイテムの各サブカテゴリを表す。マッピングテーブルの各列は、各行動状態を表す。なお、ここでは、図６Ｂの例のように、状態ＳＴ１ａ「仕事をしている」、状態ＳＴ１ｂ「休んでいる」、状態ＳＴ２ａ「電車に乗っている」、状態ＳＴ２ｂ「車に乗っている」及び状態ＳＴ３「歩いている／走っている」という５種類の行動状態が認識され得るものとする。図８の例においても、優先度の値は、１〜５の範囲の数値である。より小さい値はより優先度が高いことを表す。ユーザの行動状態が状態ＳＴ１ａである場合、広告情報のうち楽曲広告の優先度は「３」に、ソーシャル情報のうち短文記事の優先度は「５」に、ニュース情報のうち経済ニュースの優先度は「１」に、交通情報のうち列車運行情報の優先度は「３」に、交通情報のうちナビゲーション情報の優先度は「５」に設定される。ユーザの行動状態が状態ＳＴ１ｂである場合、広告情報のうち楽曲広告の優先度は「３」に、ソーシャル情報のうち短文記事の優先度は「１」に、ニュース情報のうち経済ニュースの優先度は「３」に、交通情報のうち列車運行情報の優先度は「３」に、交通情報のうちナビゲーション情報の優先度は「５」に設定される。ユーザの行動状態が状態ＳＴ２ａである場合、広告情報のうち楽曲広告の優先度は「３」に、ソーシャル情報のうち短文記事の優先度は「３」に、ニュース情報のうち経済ニュースの優先度は「３」に、交通情報のうち列車運行情報の優先度は「１」に、交通情報のうちナビゲーション情報の優先度は「５」に設定される。ユーザの行動状態が状態ＳＴ２ｂである場合、広告情報のうち楽曲広告の優先度は「５」に、ソーシャル情報のうち短文記事の優先度は「５」に、ニュース情報のうち経済ニュースの優先度は「３」に、交通情報のうち列車運行情報の優先度は「５」に、交通情報のうちナビゲーション情報の優先度は「１」に設定される。ユーザの行動状態が状態ＳＴ３である場合、広告情報のうち楽曲広告の優先度は「５」に、ソーシャル情報のうち短文記事の優先度は「３」に、ニュース情報のうち経済ニュースの優先度は「３」に、交通情報のうち列車運行情報の優先度は「３」に、交通情報のうちナビゲーション情報の優先度は「３」に設定される。